(57)【特許請求の範囲】
【請求項１】
収納家具本体の側框に支持された作動部材と、該作動部材をロック解除方向に付勢する弾性部材と、前記作動部材に設けられた係止部に係止するストッパーが設けられた上下複数の引出しと、特定の引出しの前板に設けられた、施錠又は解錠操作に伴って側方へ出没するロック操作部材を有する錠前とを備え、該ロック操作部材の操作力が前記作動部材に伝達される収納家具における引出しのロック装置であって、
前記錠前がキーにより該錠前裏面から後方へ突出する偏心ピンを操作するものであり、前記ロック操作部材が、前記偏心ピンと係合する長穴が形成され、その厚さ方向が略前後方向とされた略垂直の第１の板状体、該第１の板状体の前記側框側の端部から垂設され、その厚さ方向が略前後方向とされた略垂直の第２の板状体、及び、該第２の板状体の端部から前記側框方向に延び、その厚さ方向が略上下方向とされた略水平の第３の板状体とを一体成形したものであることを特徴とする収納家具における引出しのロック装置。
【請求項２】
前記錠前が前記前板及びその後側の裏カバー間に設けられたものであり、左右方向の通孔が形成された樹脂製ガイド部材を前記裏カバーの側面開口部に装着し、前記ガイド部材の通孔の内面又は内面に設けたガイド片により前記ロック操作部材の遊端側部分をガイドしてなる請求項１記載の収納家具における引出しのロック装置。
【発明の詳細な説明】
【技術分野】
【０００１】
本発明は、ワゴン又は袖キャビネット等の収納家具における引出しのロック装置に係わり、更に詳しくは、収納家具本体内に収容された複数の引出しを同時に施錠又は解錠することが可能なロック装置に関するものである。
【背景技術】
【０００２】
従来のワゴン又は袖キャビネット等の収納家具における引出しのロック装置として、収納家具本体の側框に上下動可能に支持された作動部材と、該作動部材をロック解除方向に付勢する弾性部材と、前記作動部材に設けられた係止部に係止するストッパーが設けられた上下複数の引出しと、特定の引出しの前板に設けられた、施錠又は解錠操作に伴って側方へ出没するロック操作部材を有する錠前と、前記側框に設けられた、前記ロック操作部材による操作力を前記作動部材に伝え、該ロック操作部材と該作動部材とを連動させる連係具とを備え、前記錠前の施錠又は解錠操作による前記係止部と前記ストッパーとの係脱により前記複数の引出しを同時に施錠又は解錠するものがある（例えば、特許文献１又は２参照。）。また、前記連係具を無くし、前記ロック操作部材を上下動させて前記作動部材を操作するものもある（例えば、特許文献３参照。）。
【０００３】
【特許文献１】実用新案登録第２５５９５０８号公報（図２−６）
【特許文献２】実用新案登録第２５９５１３６号公報（図２−５、図７）
【特許文献３】特許第３３４１５３８号公報（図１−３）
【発明の開示】
【発明が解決しようとする課題】
【０００４】
以上のような従来の収納家具における引出しのロック装置における前記ロック操作部材は、前記錠前が前記特定の引出しの前板及び裏カバー間に位置するとともに、前記錠前のキー操作により前記ロック操作部材を側方へ出没させて前記側框に設けられた作動部材を操作する必要があるため、スペース上の制約及び製作のしやすさ等から、前記前板と略平行に延びた左右方向に長い片持ちの板状体とされ、該板状体の厚さ方向が前記引出しの開閉方向（前後方向）となっている。
【０００５】
したがって、前記特定の引出しを開けた状態で誤って前記錠前を操作し、前記ロック操作部材が側方へ突出した状態のままで該引出しを閉めようとすると、該ロック操作部材が前記収納家具本体の側框に衝突して変形してしまい、その後はロック操作部材の安定動作を継続することができず、ロック装置の信頼性が損なわれる場合があるという問題点がある。
【０００６】
本発明は、前記のような問題点を解決するためになされたものであり、前記ロック操作部材が前記収納家具本体の側框に衝突しても変形しにくく該ロック操作部材の安定動作が継続するため、ロック装置の信頼性を長期間にわたって維持することができる収納家具における引出しのロック装置を得ることを目的とする。
【課題を解決するための手段】
【０００７】
本発明に係る収納家具における引出しのロック装置は、前記課題解決のために、収納家具本体の側框に支持された作動部材と、該作動部材をロック解除方向に付勢する弾性部材と、前記作動部材に設けられた係止部に係止するストッパーが設けられた上下複数の引出しと、特定の引出しの前板に設けられた、施錠又は解錠操作に伴って側方へ出没するロック操作部材を有する錠前とを備え、該ロック操作部材の操作力が前記作動部材に伝達される収納家具における引出しのロック装置であって、前記錠前がキーにより該錠前裏面から後方へ突出する偏心ピンを操作するものであり、前記ロック操作部材が、前記偏心ピンと係合する長穴が形成され、その厚さ方向が略前後方向とされた略垂直の第１の板状体、該第１の板状体の前記側框側の端部から垂設され、その厚さ方向が略前後方向とされた略垂直の第２の板状体、及び、該第２の板状体の端部から前記側框方向に延び、その厚さ方向が略上下方向とされた略水平の第３の板状体とを一体成形したものである。
【０００９】
また、前記錠前が前記前板及びその後側の裏カバー間に設けられたものであり、左右方向の通孔が形成された樹脂製ガイド部材を前記裏カバーの側面開口部に装着し、前記ガイド部材の通孔の内面又は内面に設けたガイド片により前記ロック操作部材の遊端側部分をガイドしてなると好ましい。
【発明の効果】
【００１０】
本発明に係る収納家具における引出しのロック装置によれば、収納家具本体の側框に上下動可能に支持された作動部材と、該作動部材をロック解除方向に付勢する弾性部材と、前記作動部材に設けられた係止部に係止するストッパーが設けられた上下複数の引出しと、特定の引出しの前板に設けられた、施錠又は解錠操作に伴って側方へ出没するロック操作部材を有する錠前とを備え、該ロック操作部材の操作力が前記作動部材に伝達される収納家具における引出しのロック装置であって、前記錠前がキーにより該錠前裏面から後方へ突出する偏心ピンを操作するものであり、前記ロック操作部材が、前記偏心ピンと係合する長穴が形成され、その厚さ方向が略前後方向とされた略垂直の第１の板状体、該第１の板状体の前記側框側の端部から垂設され、その厚さ方向が略前後方向とされた略垂直の第２の板状体、及び、該第２の板状体の端部から前記側框方向に延び、その厚さ方向が略上下方向とされた略水平の第３の板状体とを一体成形したものであるので、前記ロック操作部材は、従来のロック操作部材のように、その厚さ方向が前後方向とされた垂直板状のものと比較して、前後方向の形状が大きいため前後方向の外力に対して断面係数が大きく、したがって前後方向の外力に対する強度及び剛性が高いものである。よって、前記特定の引出しを開けた状態で誤って前記錠前を操作し、前記ロック操作部材の側框方向に延びる遊端側部分が該引出しから側方へ突出した状態のままで該引出しを閉めようとして、該ロック操作部材の遊端側部分が収納家具本体の側框に衝突しても、該ロック操作部材の遊端側部分は変形しにくく該ロック操作部材の安定動作が継続するため、ロック装置の信頼性を長期間にわたって維持することができるとともに、このような効果を有するロック装置をより簡素な構成により得ることができる。
【００１２】
さらに、前記錠前が前記前板及びその後側の裏カバー間に設けられたものであり、左右方向の通孔が形成された樹脂製ガイド部材を前記裏カバーの側面開口部に装着し、前記ガイド部材の通孔の内面又は内面に設けたガイド片により前記ロック操作部材の遊端側部分をガイドしてなると、該ガイド効果により前記ロック操作部材の遊端側部分がさらに変形しにくくなるため、前記ロック装置の信頼性をより長期間にわたって維持することができる。
【発明を実施するための最良の形態】
【００１３】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、引出しを引き出す方向側（引出しを開ける方向側）を前、その反対側（引出しを閉じる方向側）を後とし、後方に向かって左右を左右とする。
【００１４】
図１は、本発明の実施の形態に係る収納家具における引出しのロック装置が用いられた上下２段の引出しを備えたワゴンを示す縦断左側面図、図２は引出しの分解斜視図、図３及び図４は、錠前及びロック操作部材の構成を示す説明図であり、図３は後側から見た分解斜視図、図４は前側から見た斜視図である。また、図５及び図６は、錠前及びロック操作部材並びに連係具及び作動部材の関係を示す前側から見た斜視図であり、図６は側框への連係具の取付け方法も示している。さらに、図７は連係具及び作動部材を側框に組み込んだ状態を示す左側面拡大図、さらにまた、図８は連係具の分解斜視図、図９は上下端面カムの外形図であり、図９（ａ）は正面図（左から見た図）、図９（ｂ）は側面図、図９（ｃ）は底面図である。また、図１０は連係具の動作説明図であり、図１０（ａ）は解錠状態を、図１０（ｂ）は施錠状態を示している。
【００１５】
図１に示すように、ワゴン１０１は、ワゴン本体１０２と、ワゴン本体１０２の左右内側面に取付けられたレール並びに該レールに係合するローラー及びスライダー等の組合せからなる案内手段１０３，１０３により引出しレール３ａ，３ａが支持されて前後に開閉可能な、上段引出し１０４及び下段引出し１０５等から構成される。また、ワゴン本体１０２は、後側板１０６及び左右側板１０７，１０７からなる前側を開放してなる平面視略コ字状の鋼製の側板、該側板の上部前後に取付けられた鋼製の上框１０８ａ及び取付板１０８ｂ、該側板の下部前後に取付けられた鋼製の下框１０９ａ及び底板１０９ｂ、上框１０８ａ及び取付板１０８ｂの上面に取付けられた鋼製又は木製の天板１１０、並びに、下框１０９ａ及び底板１０９ｂの下面に取付けられたキャスター１１１，…等により構成される。該キャスター１１１，…により、ワゴン１０１の移動が容易となっている。
【００１６】
図１及び図２に示すように、上段引出し１０４及び下段引出し１０５は、鋼製の前板１の後面に鋼製の裏カバー２を取付け、その後側に上方に開口する正面視略コ字状の鋼製の胴板３を取付け、該胴板３の後側に鋼製の後板４を取付けて物品の収容部を形成している。また、引手装置１１は、引出し１０４，１０５の前板１の上側において、左右方向軸まわりに回動可能な、合成樹脂製の引手体１２と、該引手体１２の回動による隙間を塞ぐ重合部が設けられた、合成樹脂製のカバー体１３とを備えている。なお、図２に図示している係合孔３０は、上段引出し１０４のみに形成される。
【００１７】
引出し１０４，１０５を閉じてワゴン本体１０２内に収容した状態では、平面視及び側面視において、天板１１０及び左右の側板１０７，１０７により、該引出し１０４，１０５の前板１，１が隠され、平面視及び側面視において視認されない構造となっているため、すっきりとした外観の印象を与えることができるとともに、前記のとおり合成樹脂製である引手体１２及びカバー体１３を保護することができる。
【００１８】
また、引出し１０４，１０５は、前記のとおり案内手段１０３，１０３により支持されて前後に開閉可能とされ、引出し１０４，１０５を閉じると、ラッチ装置３１が作動状態となるため、引出し１０４，１０５が不意に開くことが防止される。そして、引手体１２を引くと、該操作に連動してラッチ装置３１が解除状態となる。
【００１９】
前板１の上部には、上方、後方及び下方に連続して折り曲げられたカバー体支持部２１が形成され、前板１の下部には、係合孔２９ａ，…が形成された、後方へ延びる裏板支持板２９が横設される。また、裏カバー２には胴板３が溶着され、裏カバー２の上部には、上方及び前方に連続して折り曲げられ、後面板４１ａ及び上面板４１ｂからなる係合片４１が形成され、裏カバー２の下部には、図示しない係合凸部が下方へ突設される。
【００２０】
したがって、上段引出し１０４において、後述する錠前５２（図３〜図６参照。）を裏カバー２に取付けた後に、裏カバー２上部の係合片４１を前板１のカバー体支持部２１の下側から挿入して、後面板４１ａ及び上面板４１ｂをカバー体支持部２１の下側に係合させた状態で、裏カバー２下部の図示しない係合凸部を前板１下部の裏板支持板２９に形成された係合孔２９ａ，…に係止することにより、後述するシリンダー５８（図４〜図６参照。）を係合孔３０に係合させながら、容易に裏カバー２を前板１に取付けることができる。
【００２１】
図２に示すように、引出し１０４（１０５）の胴板３の左右外側面には、外方へ突出する突起４５，４５が設けられ、該突起４５，４５には前後方向の係合孔４５ａ，４５ａが形成される。また、引出し１０４（１０５）の裏カバー２の左右の後面板４３，４３には、係合孔４３ａ，４３ａが形成され、該裏カバー２の左右の側面板４４，４４には係止孔４４ａ，４４ａが形成される。
【００２２】
したがって、引出し１０４（１０５）を閉じる際の振止めを行う振止め体１４１，１４１の係合片１４２ａ，１４２ａを、胴板３の前記係合孔４５ａ，４５ａの後側から挿入するとともに、裏カバー２の前記係合孔４３ａ，４３ａの後側から振止め体１４１，１４１の係止片１４３ａ，１４３ａを挿入して、裏カバー２の前記係止孔４４ａ，４４ａに、前記係止片１４３ａ，１４３ａの前端鉤状部を係止させれば、左右の振止め体１４１，１４１は、胴板３の左右の外側面に接した状態で、胴板３及び裏カバー２に容易かつ確実に取付けられる。
【００２３】
また、図２に示すように、引出し１０４（１０５）の胴板３の右側面には、錠前５２（図３〜図６参照。）のキー操作に連動する作動部材５５の係止部５９（図１及び図５〜図７参照。）に係止するストッパー４６が設けられているため、後述するように複数の引出し１０４，１０５を同時に施錠又は解錠することができる。
【００２４】
次に、図３及び図４により、ロック装置５１を構成する錠前５２及びロック操作部材５３の構成及び取付構造について説明する。図３に示すように、上段引出し１０４において、取付板５７は、その係合凸部５７ａ，５７ｂを裏板２の前側から係合孔４８ａ，４８ｂに係合させることにより位置決めされ、例えばスポット溶接で裏カバー２に強固に固定される。
【００２５】
ロック操作部材５３は、鋼板製であり、その厚さ方向が略前後方向とされた略垂直の第１の板状体６１、該第１の板状体６１の右端部から垂設され、その厚さ方向が略前後方向とされた略垂直の第２の板状体６２、及び、該第２の板状体６２の上端部から右方向に延び、その厚さ方向が略上下方向とされた略水平の第３の板状体６３とを一体成形したものである。
【００２６】
ロック操作部材５３の第１の板状体６１の前側の上下方向の長穴６１ａを錠前５２の後面から突出する偏心ピン５２ａに係合させ、該第１の板状体６１を錠前５２の左右の切欠き５２ｃ，５２ｃに係合させる。この状態で、錠前５２の取付軸５２ｂ，…を座板５６の通孔５６ａ，…に嵌入し、該取付軸５２，…の先端をかしめることにより、ロック操作部材５３は、左右方向にスライド可能に支持され、錠前５２のキー操作によりシリンダー５８（図４参照。）の中心軸まわりに回動する偏心ピン５２ａにより駆動され左右方向に往復動する。
【００２７】
このようにして、部品点数の少ない簡素な構成によりロック操作部材５３が取付けられユニット化された錠前５２は、図４に示すように裏カバー２の側面開口部４７にロック操作部材５３の略水平の第３の板状体６３を挿入した状態で、座板５６の係合片５６ｂを、前記のとおり裏カバー２に固定された取付板５７の係合孔５７ｃに係合させ、段部５６ｃ，５６ｃを該取付板５７の当止部５７ｄ，５７ｄに当止した位置で位置決めされる。この状態で、取付板５７の押え板５７ｅを工具により下方へ押圧して錠前５２上面の凹部５２ｄに係合する位置まで折曲げれば、錠前５２を裏カバー２に容易かつ確実に取付けることができる。
【００２８】
このようにして上段引出し１０４の裏カバー２に取付けられた錠前５２は、前記のとおり裏カバー２は前板１に容易に取付けることができるため、前板１及び裏カバー２間に支持固定され、前板１の係合孔３０にはシリンダー５８が係合してキー穴５８ａが前面に露出し、裏カバー２の側面開口部４７からはロック操作部材５３の遊端側部分である第３の板状体６３が突出する。
【００２９】
ロック操作部材５３の第３の板状体６３は、その厚さ方向が略上下方向とされた略水平板状であるため、従来のロック操作部材のように、その厚さ方向が前後方向とされた垂直板状のものと比較して、前後方向の形状が大きいため前後方向の外力に対して断面係数が大きく、したがって前後方向の外力に対する強度及び剛性が高い。
【００３０】
よって、上段引出し１０４を開けた状態で誤って錠前５２を操作し、ロック操作部材５３の第３の板状体６３が該引出しから右側方へ突出した状態のままで該引出しを閉めようとして、該第３の板状体６３が収納家具本体１０２の側框１３１（図５及び図６参照。）に衝突しても、該第３の板状体６３は変形しにくくロック操作部材５３の安定動作が継続するため、ロック装置５１の信頼性を長期間にわたって維持することができる。
【００３１】
また、図３に示すように、上段引出し１０４の裏カバー２の側面開口部４７には、ポリアセタール、ポリプロピレン、ポリエチレンテレフタレート、ナイロン又はＡＢＳ等の合成樹脂製のガイド部材６４が装着される。すなわち、ガイド部材６４の上下の取付部６５，６５を側面開口部４７の外方から挿入して上下の係止片６５ａ，６５ａを係止させると、ガイド部材６４は容易に裏カバー２に取付けられ、該ガイド部材６４の前面は前板１の後面に当接する。
【００３２】
該ガイド部材６４には左右方向の通孔６６が形成されているため、ロック操作部材５３の第３の板状体６３が挿通可能となっており、ガイド部材６４の通孔６６の上下のガイドリブ６７，６７が第３の板状体６３の上下面をガイドし、ガイド壁６８が第３の板状体６３の前面をガイドする。
【００３３】
したがって、該樹脂製のガイド部材６４が鋼製のロック操作部材５３の第３の板状体６３をガイドするため、ロック操作部材５３はさらに変形しにくくなり、ロック装置５１の信頼性をより長期間にわたって維持することができる。その上、該ガイド部材６４は、ロック操作部材５３の左右方向への移動時の振止めとしても機能するし、さらに第３の板状体６３の露出部分が少なくなるため安全面からもより好ましいものである。
【００３４】
次に、図５〜図７により、ロック装置５１を構成する錠前５２及びロック操作部材５３並びに連係具５４及び作動部材５５の関係について説明する。連係具５４は、図６に示すように、側框１３１（右前補強体）に形成された連係具取付孔１３３から挿入され、係合片７１ｅ，７１ｆを側框１３１の切欠き１３５ａ，１３５ｂに係合させ、係止片７１ｇ，７１ｈを係止孔１３６ａ，１３６ｂに係止することにより、側框１３１に容易に取付けられる。そして、この取付状態において、側框１３１の通孔１３４から被駆動部８１が露出する。また、連係具５４は、ロック操作部材５３の第３の板状体６３の先端により被駆動部８１が押されると、側框１３１に形成された上下方向の案内溝１３２内に突出する出力片８６が下降する後述するカム機構からなるものである。
【００３５】
また、図５に示すように、作動部材５５は、側框１３１（右前補強体）に形成された上下方向の案内溝１３２に嵌めこまれ、該側框１３１により上下スライド可能に支持され、その内向面（左面）には、内方に突出する係止部５９，５９が上下に設けられ、係合孔５５ａには前記連係具５４の出力片８６が係合する。
【００３６】
以上のロック装置５１の構成により、図６に示すように、錠前５２のキー穴５８ａに図示しないキーを挿入して該キーを回転（例えば、時計まわりに１８０°回転）すると、ロック操作部材５３の第３の板状体６３が側框１３１に近づく方向へ移動する（図６中矢印Ａ参照。）。この第３の板状体６３の先端６３ａにより連係具５４の回動入力体７２の被駆動部８１が押されると、該回動入力体７２が後方に回動して（図６中矢印Ｂ参照。）、出力片８６が下降する（図６中矢印Ｃ参照。）。
【００３７】
なお、ロック操作部材５３の略水平の第３の板状体６３は、その先端部６３ａが後方に曲がっているが、これは回動入力体７２の被駆動部８１のなるべく回動中心に近い位置を押すことにより、ロック操作部材５３の移動量に対して回動入力体７２の回転角度をなるべく大きくするためのものである。
【００３８】
出力片８６が前記のように下降すると、該出力片８６により係合孔５５ａの下面が押され、作動部材５５も下降する（図６中矢印Ｄ参照。）。該作動部材５５が下降すると、係止部５９，５９が図７の位置から下降するので、該係止部５９，５９が引出し１０４，１０５に設けられた前記ストッパー４６，４６（図２も参照。）の前側に位置して引き出せなくなるため、収納家具本体１０２内に収容された複数の引出し１０４，１０５を同時に施錠することができる。また、前記キーを反転（例えば、反時計まわりに１８０°回転）すると、ロック操作部材５３の第３の板状体６３が側框１３１から離れる方向へ移動するため、後述する弾性部材によりロック解除方向である上方に付勢された作動部材５５が上昇し、引出し１０４，１０５を同時に解錠することができる。
【００３９】
次に、図８〜図１０により連係具５４の構成について説明する。図８に示すように、ポリアセタール、ポリプロピレン、ポリエチレンテレフタレート、ナイロン又はＡＢＳ等の合成樹脂製の連係具本体７１の上下には軸受孔７１ａ，７１ｂが形成され、一側面には前記出力片８６挿通用の切欠き７１ｃが、他側面には上下の長孔７１ｄが形成される。また、上板下面には、後述する上下端面カム体７３の上端面のカムである斜面８３ａ，８３ｂに当接する軸対称の斜面８２ａ，８２ｂが形成される。なお、該斜面８２ａ，８２ｂはカム・フォロアであるため、斜面に限定されるものではなく、先端を丸くした棒状のもの又はローラー等の適宜形態とすることができる。そして、前記のとおり係合片７１ｅ，７１ｆ及び係止片７１ｇ，７１ｈにより側框１３１に取付けられる。
【００４０】
また、ポリアセタール、ポリプロピレン、ポリエチレンテレフタレート、ナイロン又はＡＢＳ等の合成樹脂製の回動入力体７２は、水平方向に延びる回動レバー７２ａ、並びに、該回動レバー７２ａの回動軸を構成する上丸軸７２ｂ、上下に長い角軸７２ｃ及び下丸軸７２ｄからなり、回動レバー７２ａの先端部が前記被駆動部８１であり、下丸軸７２ｄには周溝７２ｅが形成される。
【００４１】
さらに、図８及び図９に示すように、ポリアセタール、ポリプロピレン、ポリエチレンテレフタレート、ナイロン又はＡＢＳ等の合成樹脂製の上下端面カム体７３は、上端面に斜面８３ａ，８３ｂが軸対称に形成され、下端面に斜面８４ａ，８４ｂが軸対称に形成された端面カムであり、該斜面は、周方向に移動すると高さが単調に増減する形状となっている。そして、前記回動入力体７２の角軸７２ｃに外嵌される角孔７３ａが形成される。
【００４２】
さらにまた、図８に示すように、ポリアセタール、ポリプロピレン、ポリエチレンテレフタレート、ナイロン又はＡＢＳ等の合成樹脂製の出力体７４には、前記上下端面カム体７３の下端面のカムである斜面８４ａ，８４ｂに当接する軸対称の斜面８５ａ，８５ｂが形成される。なお、該斜面８５ａ，８５ｂはカム・フォロアであるため、斜面に限定されるものではなく、先端を丸くした棒状のもの又はローラー等の適宜形態とすることができる。
【００４３】
また、出力体７４には、前記回動入力体７２の角軸７２ｃまわりに遊嵌され、該回動入力体７２の回動によるトルクが伝わらない大きさの通孔７４ａが形成されると共に、前記連係具本体７１の長孔７１ｄに係合するガイドピン７４ｂが突設され、該ガイドピンの反対側には前記連係具本体７１の切欠き７１ｃに挿通されて前記作動部材５５の係合孔５５ａに係合する出力片８６が設けられる。
【００４４】
次に、連係具５４の組立方法について説明する。連係具本体７１の上軸受孔７１ａの上側から回動入力体７２を挿通し、連係具本体７１内において、上下端面カム体７３の角孔７３ａに角軸７２ｃを係合させ、その下側において、出力体７４のガイドピン７４ｂを長孔７１ｄに係合させ、出力片８６を切欠き７１ｃに挿通した状態で、出力体７４の通孔７４ａに角軸７２ｃを挿通し、さらにその下側において圧縮コイルばね７５のコイル内に角軸７２ｃを挿通する。そして、回動入力体７２の上丸軸７２ｂが連係具本体７１の上軸受孔７１ａに、下丸軸７２ｄが下軸受孔７１ｂに嵌合した状態で下丸軸７２ｄの周溝７２ｅに止め輪７６を装着すれば、連係具５４は容易に組立てられてユニット化される。
【００４５】
圧縮コイルばね７５は、作動部材５５をロック解除方向に付勢する弾性部材であり、該圧縮コイルばね７５により出力体７４が上方に付勢されるため、出力片８６を介して作動部材５５も上方に付勢される。したがって、前記錠前５２のキー操作によりロック操作部材５３の第３の板状体６３が連係具５４の被駆動部８１を押していない状態では、作動部材５５が上昇した位置となり、係止部５９，５９が引出し１０４，１０５のストッパー４６，４６の前側に位置しない解錠状態となる。
【００４６】
この解錠状態の連係具５４は、図１０（ａ）のとおりであり、この状態から前記錠前５２のキー操作によりロック操作部材５３の第３の板状体６３が連係具５４の被駆動部８１を押すと、回動入力体７２が図１０（ｂ）の矢印Ｂのように回転し、角軸７２ｃ及び上下端面カム体７３も同方向に回転する。これに対して連係具本体７１及び出力体７４は回転しないため、上下端面カム体７３の上端面の斜面８３ａ，８３ｂ及び連係具本体７１の斜面８２ａ，８２ｂの間、並びに、上下端面カム体７３の下端面の斜面８４ａ，８４ｂ及び出力体７４の斜面８５ａ，８５ｂの間の二重のカム機構により、前記回転は下方への直動に変換され、図１０（ｂ）の矢印Ｃのようにように出力片８６は下降する。
【００４７】
このように、回転を直動に変換する連係具５４が、上下に端面カムを形成してなるカム体７３を用いた二重のカム機構を用いていることから、このような簡素かつコンパクトな構成により、回動入力体７２の回動レバー７２ａの回転角度が小さくても出力片８６の大きな上下ストロークを得ることができる。
【００４８】
また、連係具５４は前記のとおり容易に組立てられ、作動部材５５をロック解除方向に付勢する弾性部材であるコイルばね７５も含んだ状態でユニット化され、該ユニットを容易に側框１３１に取付けることができるため、圧縮コイルばねを作動部材５５の下側に別個に取付る必要もなく、組立作業性を大きく向上することができる。
【図面の簡単な説明】
【００４９】
【図１】本発明の実施の形態に係る収納家具における引出しのロック装置が用いられた上下２段の引出しを備えたワゴンを示す縦断左側面図である。
【図２】引出しの分解斜視図である。
【図３】錠前及びロック操作部材の構成を示す後側から見た分解斜視図である。
【図４】錠前及びロック操作部材の構成を示す前側から見た斜視図である。
【図５】錠前及びロック操作部材並びに連係具及び作動部材の関係を示す前側から見た斜視図である。
【図６】錠前及びロック操作部材並びに連係具及び作動部材の関係を示す前側から見た斜視図である。
【図７】連係具及び作動部材を側框に組み込んだ状態を示す左側面拡大図である。
【図８】連係具の分解斜視図である。
【図９】上下端面カムの外形図であり、（ａ）は正面図、（ｂ）は側面図、（ｃ）は底面図である。
【図１０】連係具の動作説明図であり、（ａ）は解錠状態を、（ｂ）は施錠状態を示している。
【符号の説明】
【００５０】
１０１  ワゴン（収納家具）
１０２  ワゴン本体（収納家具本体）
１０４  上段引出し
１０５  下段引出し
１３１  側框（右前補強体）
１３２  案内溝
１３３  連係具取付孔
１３４  通孔
１３５ａ，１３５ｂ  切欠き
１３６ａ，１３６ｂ  係止孔
１  前板
２  裏カバー
３  胴板
４  後板
３０  係合孔
４６  ストッパー
４７  側面開口部
４８ａ，４８ｂ  係合孔
５１  ロック装置
５２  錠前
５２ａ  偏心ピン
５２ｂ  取付軸
５２ｃ  切欠き
５２ｄ  凹部
５３  ロック操作部材
５４  連係具
５５  作動部材
５５ａ  係合孔
５６  座板
５６ａ  通孔
５６ｂ  係合片
５６ｃ  段部
５７  取付板
５７ａ，５７ｂ  係合凸部
５７ｃ  係合孔
５７ｄ  当止部
５７ｅ  押え板
５８  シリンダー部
５８ａ  キー穴
５９  係止部
６１  第１の板状体
６１ａ  長穴
６２  第２の板状体
６３  第３の板状体
６３ａ  先端部
６４  ガイド部材
６５  取付部
６５ａ  係止片
６６  通孔
６７  ガイドリブ
６８  ガイド壁
７１  連係具本体
７１ａ，７１ｂ  軸受孔
７１ｃ  切欠き
７１ｄ  長孔
７１ｅ，７１ｆ  係合片
７１ｇ，７１ｈ  係止片
７２  回動入力体
７２ａ  回動レバー
７２ｂ  上丸軸
７２ｃ  角軸
７２ｄ  下丸軸
７２ｅ  周溝
７３  上下端面カム体
７３ａ  角孔
７４  出力体
７４ａ  通孔
７４ｂ  ガイドピン
７５  圧縮コイルばね（弾性部材）
７６  止め輪
８１  被駆動部
８２ａ，８２ｂ  斜面（カム・フォロア）
８３ａ，８３ｂ，８４ａ，８４ｂ  斜面
８５ａ，８５ｂ  斜面（カム・フォロア）
８６  出力片
【図１】
0004747808.tif 000002
【図２】
0004747808.tif 000003
【図３】
0004747808.tif 000004
【図４】
0004747808.tif 000005
【図５】
0004747808.tif 000006
【図６】
0004747808.tif 000007
【図７】
0004747808.tif 000008
【図８】
0004747808.tif 000009
【図９】
0004747808.tif 000010
【図１０】
0004747808.tif 000011